(57)【要約】      （修正有）【課題】家具間や家具と柱、壁との隙間に服のハンガーやカーテンまたは暖簾掛けを設けるための突っ張り棒の取り付けを容易にし、その保持力を高めた突張り棒支持具を提供する。【解決手段】突っ張り棒１を柱または壁２の両側に取付け、または取外す際に、突っ張り棒を支持する支持具３として、突っ張り棒の端部を挿入する支持具の受け部形状が、凹部溝または凹部溝の一部に、さらに突っ張り棒の端部が入る凹みを有することを特徴とする。【選択図】図１
0003183962.tif 000002
【実用新案登録請求の範囲】
【請求項１】
突っ張り棒を支持する支持具であって、該支持具の壁面に固定される面と反対側の面には、突っ張り棒の両端部が入り込む凹部が形成されており、該凹部はその内壁の一部が開放されていることを特徴とする突っ張り棒支持具。
【請求項２】
前記凹部の内部に、突っ張り棒の両端部が入り込む第２の凹部が形成されていることを特徴とする請求項１に記載の突っ張り棒支持具。
【考案の詳細な説明】
【技術分野】
【０００１】
本考案は、家具間や家具と柱、壁との隙間に服のハンガーやカーテンまたは暖簾掛けを設けるための突っ張り棒を支持する支持具である。
【背景技術】
【０００２】
突っ張り棒は、一般に服のハンガーやカーテンまたは暖簾掛けのために使用されている。
図２は、従来の突っ張り棒の斜視図を示す。
図２の突っ張り棒１は、パイプ小１１とパイプ大１２とエンドキャップ１０とパイプ大
１２の中にバネ１３が入ったもので主に構成される。
パイプ小１１は、パイプ大１２の中に一部挿入しており、パイプ小１１を回転させることにより、バネ１３の螺旋状に沿ってパイプ小１１が伸縮する構造のものである。
エンドキャップ１０は、プラスチックで円筒状の形の中に、パイプ小１１、パイプ大
１２を適切な篏合で収納されており、端面は平面または輪状凸っ張りが付いており、パイプ小１１はバネ１３により適当な突っ張り強さを保ちながら、２〜１０mm位伸縮する構造になっている。
以上の突っ張り棒１は、次のようにして使用されている。
突っ張り棒１の中にカーテンまたは暖簾１７の袖２０を通して両側の柱または壁２に挟まるようにエンドキャップ１０の端面を当接させる。突っ張り棒１の取付けが緩ければ、パイプ小１１を回転させて突っ張り具合いの強さを加減して調整する。その後取外す際には、パイプ小１１を反対方向に回転させ、突っ張り棒１の全長を縮めて柱または壁２より取外す。
【先行技術文献】
【特許文献】
【０００３】
【特許文献１】特開２０１３−４７８
【考案の概要】
【考案が解決しようとする課題】
【０００４】
以上のような従来の突っ張り棒には、次のような解決すべき課題があった。
(1)突っ張り棒１の中にある、カーテンまたは暖簾１７を交換する際には、その都度、パイプ小１１を回転して緩め、突っ張り棒１の全長を縮めて、柱または壁２より取外さなければならなかった。
(2)取外しの際には、その都度突っ張り棒１の全長を調整して取外すために、再度突っ張り棒１を取付けようとする際に、突っ張り棒１が比較的長いことも有り（約８００mm〜２０００mm位有り）、以前に取付けた位置に対して、左右の高さと前後の位置に対して、突っ張り棒１の左右の芯を合わせるのが難しかった。
(3)突っ張り棒１のみによる取付けの方法では、上記のように両側の柱または壁２に対して、突っ張り棒１の芯が位置のずれを生じやすいため、カーテンまたは暖簾１７に少し触れたり、負荷が少しかかるだけでも、十分な突っ張り強さを維持出来ないため、突っ張り棒１が落下しやすかった。
(4)突っ張り棒１を柱または壁２に取付けする際には、パイプ１１、１２のいずれか片方を回転して、突っ張り強度を強く保持するようにするのであるが、柱または壁２に接するエンドキャップ１０はパイプ１１、１２に篏合しているために、同時に回って、接している柱または壁２の位置から移動して、左右の芯がずれてしまい易かった。
(5)突っ張り棒１を柱または壁２に取付ける際には、上記のように芯を合わせ難く、かつまた外れやすいため、突っ張り棒１は落下しやすく、頻繁に取付け及び取外しを行って使用するには不向きであった。
(6)ベニヤ板またはクロス壁のような柔らかい壁に直接突っ張り棒１を取付けする際には、ある程度突っ張り棒１を強く突っ張らないと、突っ張り棒１の端面が、特に壁の裏面に支え板が無い場合には経時変化に伴い徐々にずれて、しまいには落下し、壁面にも凹みが生じたり傷みやすかった。
【課題を解決するための手段】
【０００５】
本考案は、以上の点を解決するために、次のような構成を採用する。
（構成１）
突っ張り棒を柱または壁の両側に取付け、または取外す際に、前記突っ張り棒を支持する支持具として、突っ張り棒の端部を挿入する支持具の受け部形状が、凹部溝または凹部溝の一部に、さらに突っ張り棒の端部が入る凹みを有することを特徴とする支持具である。
【考案の効果】
【０００６】
本考案の支持具には、次のような効果がある。
（実施例１の効果）
(1)突っ張り棒と支持具は別々になっているので、支持具を使用する際には、予め突っ張り棒を取付けたい位置に支持具を貼付ける。支持具は比較的小さく軽いということもあり容易に貼付けて位置決めができる。
(2)一度支持具を貼付けておけば、取外した突っ張り棒を再度取付ける際には、支持具の溝に沿ってエンドキャップ部を挿入するだけで元の位置に収納でき、かつ、突っ張り強さの加減もその都度調整することもほとんどなくなる。
(3)突っ張り棒を取外す際には、溝に沿ってエンドキャップ部を移動させるか、あるいは外したい方のパイプを内側方向に軽く押し込みながら、開放部の方に移動させることにより簡単に外れる。
(4)突っ張り棒は左右の上下、前後の位置ずれがあると外れやすかったが、支持具があるだけで、左右の貼付け位置のずれが多少あっても突っ張り強さはほとんど変わらなくなり、溝の中に収納されているため、落下しにくくなり、かつ、支持具の貼付け位置精度もあまり気にしないですむようになる。
(5)クロス壁、ベニヤ板等の柔らかい壁に突っ張り棒を取付ける際には、従来かなり強く突っ張らないと、壁裏の支え板がどこに位置するのか分かり難いこともあり、経時変化と共に外れて落下しやすかったが、支持具を使うことにより、さほど強く突っ張らなくとも、壁を傷めずに取付けることが出来る。
(6) 支持具のベース１９は、従来の突っ張り棒のエンドキャップ１０より、接着面積で約２〜５倍も大きくなっていること、接着剤にて柱面に粘着していること、その接着面を突っ張り棒のバネ１３で押し付けていること、さらにベース１９の三辺に縁を設け鍔のように凸っ張り状になっていること等により、突っ張り棒がより落下し難くなっている。
(7)図８の支持具５は溝１４の形をＬ形、Ｌの対称形にし、さらに溝１４の中に凹み９を設けたものであり、また、図７の支持具６は溝の両側に細長い溝１５をＴ形に設けたものであるため、人通りの多い場所でも落下し難い効果がある。
(8)図３の支持具３、図５の支持具４、図７の支持具６、及び図８の支持具５とも、ベース１９に対して適当な位置に孔を設けており、接着剤が使えないような場所でも、支持具をネジ止め出来るようにしている。
(9) 突っ張り棒のみでは、緩んだら自重で簡単に落下してしまうが、仮に突っ張り棒１が緩んでも、溝の周りに縁が三辺有るので、縁にのった状態で落下しないですむ。
(10)上記(1)〜(9)までは支持具を使うことによる突っ張り棒が落下し難くなる効果であるが、例外的な使い方として、例えば支持具３の溝８の向きを水平になるように貼付けて、突っ張り棒を軽く突っ張って取付けておけば、外部からの侵入者に対して軽い負荷で内側方向へ突っ張り棒が移動して溝８からはずれ落下してしまい、住人に侵入者がいたことを知らせやすくなる。従来の突っ張り棒だけでは力強く押しつけていることが必要であったが、支持具３を使い方により、突っ張り棒は落下し難いが、一方向へは軽い負荷で突っ張り棒が落下させやすいという効果もある。
【図面の簡単な説明】
【０００７】
【図１】この考案の支持具３の具体例斜視図を示す。
【図２】従来の突っ張り棒の斜視図を示す。
【図３】この考案の支持具３の斜視図を示す。
【図４】この考案の支持具３の主要部断面図を示す。
【図５】この考案の支持具４の斜視図を示す。
【図６】この考案の支持具４の主要部断面図を示す。
【図７】この考案の支持具６の斜視図を示す。
【図８】この考案の支持具５の斜視図を示す。
【図９】この考案の支持具４の具体例斜視図を示す。
【図１０】この考案の支持具２２の斜視図を示す。
【図１１】この考案の支持具２２の主要部断面図を示す。
【図１２】この考案の支持具６の主要部断面図を示す。
【図１３】この考案の支持具５の主要部断面図を示す。
【考案を実施するための形態】
【０００８】
以下、本考案を図面を用いて詳細に説明する。
【実施例１】
【０００９】
以下の説明で、実施例１は構成１に対応する。
図１に、本考案の支持具３の具体例斜視図を示す。
支持具３は、ベース１９と接着剤１８とから構成される。また、図１にはその他に突っ張り棒１と両側に柱２とカーテンまたは暖簾１７とが示されている。突っ張り棒１は、図２を用いて説明した従来どおりの構造のものである。
ベース１９はプラスチック、金属、非金属でもよく、突っ張り棒１を支持する受け部形状は、中央部に対して三辺の縁が設けられ、残り一辺の端部が開放された凹部溝（以下略称：溝）８になっていて、底付きである。溝８の幅は、エンドキャップ１０の外形より少し大きめになっている。また溝８の深さは特に指定はないが、ベース１９の厚みは、１〜５mm位が重要なポイントであり、この厚み具合は突っ張り棒１を取付け、または取外す際には絶妙な寸法になっている。
このベース１９の厚みは、突っ張り棒１の突っ張り強さにも関係し、ある程度の厚みがあると、突っ張り棒１を支持具に挿入した時点で、突っ張り強さをほとんど加減すること無く、突っ張り棒１の取り付けができる寸法である。また、取付け後に、その状態から突っ張り棒１を支持具から取外す際には、外したい方のパイプ１１または１２を内側方向に軽く押し込むと、バネ１３が収縮して突っ張り棒１の全長が短くなり、取外しが楽になる寸法でもある。
以上のように、ベース１９の厚みは薄すぎれば突っ張り棒１は挿入しやすいが、突っ張り強さが弱くなり外れ易く、厚すぎれば突っ張り棒１の挿入が難しくなる。また、挿入後取外しが難しくなるため、ベース１９の厚み１〜５mm位が重要な寸法である。
なお、突っ張り棒１のバネ１３は押し加減にもよるが、約１０mm位伸縮するようである。また、溝８の入口部分は、軽く面取りを施して突っ張り棒１のエンドキャップ１０が入り易いような形状をしている。
さらに、ベース１９の外形の形状は四角形、六角形、八角形、丸形、ハート形のようなデザインを考慮した模様をつけてもよく、色調は柱、壁、棚の色に合わせて、白、赤、黒、茶、黄、青などとしてもよい。溝８の形状は図３の支持具３のように幅広い溝でも、図８の支持具５のようなＬの対称形の溝でも、図１０の支持具２２のような蛇行した溝でもよい。支持具を柱または壁２に貼付けるためにベース１９の裏側には接着剤を塗布しているが、その他にはマグネットまたは吸着盤を使用してもよい。
【００１０】
以上の支持具は次のようにして使用する。
支持具３の裏側の台紙７を剥がし、接着面を柱または壁２の両側に貼付ける。その後、突っ張り棒１の中にカーテンまたは暖簾の袖２０をくぐり入れる。次に柱または壁２の両側に貼付けた支持具３の溝８の中に、エンドキャップ１０を溝８に沿って奥まで挿入して収納し、パイプ１１または１２を回転して、突っ張り強さの加減を調整し、突っ張り棒１を取付ける。
また、突っ張り棒１を取外す際には、パイプの片側を軽く内側方向に押し込みながら、またはそのままの状態で溝８に沿って、上側に突っ張り棒１を持ち上げて移動させれば簡単に取外しができる。
【実施例２】
【００１１】
以下の説明で、実施例２も構成１に対応する。
図９には、本考案の支持具４の具体例斜視図を示す。支持具４の構成は支持具３と同様であり、図９にはその他に突っ張り棒１と柱２とが示されている。
突っ張り棒１は図２を用いて説明した従来どおりの構造のものである。
ベース１９の機能は支持具３と同様であるが、溝８の中の凹み９の深さは１〜５mm位が重要なポイントであり、この凹み９の深さ具合は、突っ張り棒１を取付け、取外す際の絶妙な寸法になっている。
また、図９には突っ張り棒１と柱２と支持具４と示され右半分は対称のため割愛している。
突っ張り棒１は図２を用いて説明した従来どおりの構造のものである。図５、図６で図示した支持具４は溝８の中にさらに底付き凹み９を設けることにより、突っ張り棒１がより抜け落ち難くしたものである。支持具４の開放部を上向きに使用してもよいが、横向きに貼付けることも可能にしたものである。
また、溝８の形状については、図８の支持具５のような、Ｌ形またはＬの対称形の溝１４の中に丸形、四角形または小判形の底付き凹み９や、図７の支持具６のような、突っ張り棒１の端部の鍔１６よりも少し大きくした、Ｔ形をした細長い溝１５のようなものでもよい。
【００１２】
以上の支持具４は、次のようにして使用する。
使い勝手は、支持具３とほとんど同様である。柱または壁２の両側に貼付けた支持具４の溝８の中にエンドキャップ１０を溝８に沿って奥の凹み９の中まで押し込んで収納し、突っ張り強さ加減を調整して取付ける。また、突っ張り棒１を取外す際には、パイプの片側を軽く内側方向に押し込みながら、凹み９の中からエンドキャップ１０を外した状態にて溝８に沿って、手前側に突っ張り棒１を引き出して移動させれば簡単に取外しができる。
【符号の説明】
【００１３】
１   突っ張り棒
２   柱または壁
３   支持具
４   支持具
５   支持具
６   支持具
７   台紙
８   凹部溝（略称：溝）
９   丸形、四角形または小判形の底付き凹み（略称：凹み）
１０   エンドキャップ
１１   パイプ小
１２   パイプ大
１３   圧着用のバネ（略称：バネ）
１４   Ｌ形、Ｌの対称形の溝
１５   細長い溝を両側に設けたＴ形の溝（略称：Ｔ形の溝）
１６   端部の鍔
１７   カーテンまたは暖簾
１８   接着剤
１９   ベース
２０   袖
２１   孔
【図１】
0003183962.tif 000003
【図２】
0003183962.tif 000004
【図３】
0003183962.tif 000005
【図４】
0003183962.tif 000006
【図５】
0003183962.tif 000007
【図６】
0003183962.tif 000008
【図７】
0003183962.tif 000009
【図８】
0003183962.tif 000010
【図９】
0003183962.tif 000011
【図１０】
0003183962.tif 000012
【図１１】
0003183962.tif 000013
【図１２】
0003183962.tif 000014
【図１３】
0003183962.tif 000015